(57)【要約】【課題】  干渉音の発生なしで、クロスフローファンの空気吸込領域を有効に拡大して、吐出風量を増大させることができるようにするとともに、送風音の低減を可能する。【解決手段】  舌部３２ｂとスクロール部３１ｂとの間にファンロータ３０ｂを備えてなるクロスフローファンにおいて、上記舌部３２ｂの近傍にのみ、上記ファンロータ３０ｂの回転方向と逆の方向に吸込空気を予旋させる案内羽根１３ａ，１３ｂを設けた。【選択図】        図２
2005337056.tif 000002
【特許請求の範囲】
【請求項１】
舌部（３２ｂ）とスクロール部（３１ｂ）との間にファンロータ（３０ｂ）を備えてなるクロスフローファンであって、上記舌部（３２ｂ）の近傍にのみ、上記ファンロータ（３０ｂ）の回転方向と逆の方向に吸込空気を予旋させる案内羽根（１３ａ），（１３ｂ）を設けたことを特徴とするクロスフローファン。
【請求項２】
舌部（３２ｂ）の近傍には、少数枚の案内羽根（１３ａ），（１３ｂ）が設けられていることを特徴とする請求項１記載のクロスフローファン。
【請求項３】
舌部（３２ｂ）とスクロール部（３１ｂ）との間にファンロータ（３０ｂ）を備えてなるクロスフローファンであって、上記舌部（３２ｂ）には、上記ファンロータ（３０ｂ）の回転方向と逆の方向に吸込空気を予旋させるスリット（１４ａ），（１４ｂ）を設けたことを特徴とするクロスフローファン。
【請求項４】
空気調和機に適用されるように構成されていることを特徴とする請求項１，２又は３記載のクロスフローファン。
【発明の詳細な説明】
【技術分野】
【０００１】
本願発明は、クロスフローファンの構造に関するものである。
【背景技術】
【０００２】
舌部とスクロール部により形成されるうず巻状の送風通路中に多数枚の羽根（ブレード）よりなるファンロータを備え、該ファンロータの径方向に空気が流れる所謂クロスフローファンは、例えば従来から空気調和機用の室内機などに多く採用されている。
【０００３】
そして、このようなクロスフローファンの吐出風量を増大させるために、種々の提案がなされている。
【０００４】
その中の１つとして、例えば図６に示すように、舌部３２ｂおよびスクロール部３１ｂとの間に形成された送風通路１０ｂの空気吸込口の全領域に亘って、ファンロータ３０Ｂの回転中心と同心をなす円弧状にファンロータ３０Ｂの羽根３０，３０・・・と逆の角度の多数枚の案内羽根１３ａ〜１３ｊを列設したものがある（例えば特許文献１参照）。
【０００５】
このような構成によると、ファンロータ３０Ｂに吸込まれる空気流を、ファンロータ３０Ｂの空気吸込口側でその回転方向と逆方向に予じめ旋回させて吸込風量を増加させることができ、それによって空気吹出口および空気吹出通路９ｂ側へのクロスフローファンの吐出風量を増加させ、その性能向上を図ることが可能となる。
【０００６】
【特許文献１】特許第２７１５７８４号公報（明細書第第１−３頁、図１）
【発明の開示】
【発明が解決しようとする課題】
【０００７】
ところが、以上のような構成の場合、多数枚の案内羽根１３ａ〜１３ｊが列設されることで、ファンロータ３０Ｂの羽根３０，３０・・・と案内羽根１３ａ〜１３ｊが干渉することにより、Ｎｚ音を含む干渉音が発生し、例えば５ｍ3／ｍｉｎ〜３０ｍ3／ｍｉｎの風量域において、案内羽根１３ａ〜１３ｊが無いものと比較すると送風音を著しく増大させていた（例えば図３のグラフを参照）。
【０００８】
本願発明は、このような問題を解決するためになされたもので、案内羽根又は案内羽根として作用する構造体を舌部近傍にのみ又は舌部自体に設置することで、上述のようなファンロータの羽根との干渉音を発生させることなく有効に空気吸込み領域を拡大でき、吐出風量の増大を図ることができるようにしたクロスフローファンを提供することを目的とするものである。
【課題を解決するための手段】
【０００９】
本願発明は、上記の目的を達成するために、次のような課題解決手段を備えて構成されている。
【００１０】
（１）  第１の課題解決手段
この発明の第１の課題解決手段は、舌部３２ｂとスクロール部３１ｂとの間にファンロータ３０ｂを備えてなるクロスフローファンであって、上記舌部３２ｂの近傍にのみ、上記ファンロータ３０ｂの回転方向と逆の方向に吸込空気を予旋させる案内羽根１３ａ，１３ｂを設けたことを特徴としている。
【００１１】
このような構成によれば、空力性能に与える影響が大きい舌部３２ｂの近傍では案内羽根１３ａ，１３ｂを設けて吸込風量の増大に寄与させる一方、空気吸込口側吸込領域全体における案内羽根１３ｃ〜１３ｊの枚数を大幅に減らして、ファンロータ３０Ｂの羽根３０，３０・・・との干渉によるＮｚ音を可能な限り低減させることができる。
【００１２】
（２）  第２の課題解決手段
この発明の第２の課題解決手段は、上記第１の課題解決手段の構成において、舌部３２ｂの近傍には、少数枚の案内羽根１３ａ，１３ｂが設けられていることを特徴としている。
【００１３】
案内羽根の枚数は、舌部３２ｂの近傍に１枚か、２枚もあれば十分であり、それだけでも有効に吸込風量の増大に寄与させることができる。
【００１４】
（３）  第３の課題解決手段
この発明の第３の課題解決手段は、舌部３２ｂとスクロール部３１ｂとの間にファンロータ３０ｂを備えてなるクロスフローファンであって、上記舌部３２ｂには、上記ファンロータ３０ｂの回転方向と逆の方向に吸込空気を予旋させるスリット１４ａ，１４ｂを設けたことを特徴としている。
【００１５】
このような構成によれば、空力性能に与える影響が大きい舌部３２ｂの近傍では、当該舌部３２ｂ自体に案内羽根と同様の吸込空気予旋作用を果たすスリット１４ａ，１４ｂを設け、同スリット１４ａ，１４ｂによって吸込風量の増大に寄与させる一方、空気吸込口側吸込領域全体における案内羽根１３ａ〜１３ｊを無くしてファンロータ３０Ｂの羽根３０，３０・・・との干渉によるＮｚ音を可及的に低減させる。
【００１６】
（４）  第４の課題解決手段
この発明の第４の課題解決手段は、上記第１，第２又は第３の課題解決手段の構成において、空気調和機に適用されるように構成されていることを特徴としている。
【００１７】
上記第１，第２又は第３の課題解決手段によれば、クロスフローファンの空気吸込領域を拡大して、しかもＮｚ音が効果的に低減されるから、各種空気調和機に適したものとなる。
【発明の効果】
【００１８】
以上の結果、本願発明によると、同一風量の下において、クロスフローファンの回転数、送風音、軸動力を可及的に低減することができ、例えば天井埋込型空気調和機用室内機その他の各種空気調和機に適した高性能のクロスフローファンを提供することが可能となる。
【発明を実施するための最良の形態】
【００１９】
＜最良の実施の形態１＞
先ず図１は、本願発明の最良の実施の形態１に係るクロスフローファンを天井埋込型空気調和機に適用した場合の構成を示している。
【００２０】
この実施の形態における空気調和機は、本願発明のクロスフローファンを２連用いた２方吹きタイプの天井埋込型空気調和機となっている。
【００２１】
すなわち、この実施の形態は、一例として同一容量の第１，第２の左右２組のクロスフローファン（ファンロータ３０Ａ，３０Ｂ）を用いて２方吹の天井埋込型空気調和機１を構成しており、符号２は、当該天井埋込型空気調和機１のカセット型の本体ケーシングである。該本体ケーシング２は、その下面側の化粧パネル４部分が当該部屋の天井３と略同一平面状に連続するようにして、同天井３内に埋設されるようになっている。
【００２２】
そして、上記本体ケーシング２の上記化粧パネル４には、図示左右方向（紙面左右方向）中央部に位置して図示前後方向（紙面垂直方向）両端側に延びる細長い主空気吸込口および主空気吸込口通路５が設けられ、さらに、その内側上方には上記左右２組の第１，第２のクロスフローファンのファンロータ３０Ａ，３０Ｂを介して２方向に分かれる第１，第２の送風通路１０ａ，１０ｂが連設されている。また、上記本体ケーシング２の上記化粧パネル４の上記空気吸込口５の左右両側には、温調用の空気を吹き出すための同じく前後方向両端側に延びる所定の幅の空気吹出口および空気吹出通路９ａ，９ｂが設けられている。
【００２３】
この実施の形態の場合、ファンロータ３０Ａ，３０Ｂへの空気吸込口および空気吸込通路は、上記化粧パネル４中央のファンロータ３０Ａ，３０Ｂへの主空気吸込口および主空気吸込通路５と、さらに該主空気吸込口および主空気吸込口５の左右両側の空気吹出口および空気吹出通路９ａ，９ｂとの間の副空気吸込口および副空気吸込通路５ａ，５ｂとの２組のものからなっている。
【００２４】
主空気吸込口および主空気吸込通路５は、上記化粧パネル４上のドレンパン２９Ａ，２９Ｂの内側の仕切壁ａ，ａ間に、また副空気吸込口および副空気吸込通路５ａ，５ｂは、舌部および空気吹出通路等形成用の縦壁部Ｃ2とドレンパン２９Ａ，２９Ｂの外方側仕切壁Ｃ1との間にあって舌部３２ａ，３２ｂの空気吸込口方向にカーブして形成されている。
【００２５】
一方、上記第１，第２の送風通路１０ａ，１０ｂは、グリル部Ｇおよびフィルタ部Ｆを介した上記主空気吸込口および主空気吸込通路５から、またグリル部Ｇ１およびフィルタ部Ｆ１を介した副空気吸込口および副空気吸込通路５ａ，５ｂから、各々その上方空間部を経て上記空気吹出口および空気吹出通路９ａ，９ｂ方向にＹ形に分かれてスムーズにＵターンする放物面形状のスクロール部３１ａ，３１ｂを相互に一体化して、それらスクロール部３１ａ，３１ｂと各々対向する舌部３２ａ，３２ｂとの間に形成されている。
【００２６】
そして、該第１，第２の送風通路１０ａ，１０ｂ上流の上記左右両方向への分岐領域に位置して、上端側が相互に当接する一方、下端側が所定の傾斜角で相互に外方側に離間した傾斜角の大きな略ハの字状態（逆Ｖの字状態）で、上記第１，第２の各クロスフローファンのファンロータ３０Ａ，３０Ｂに対応する第１，第２の熱交換器１２Ａ，１２Ｂが設置されている。
【００２７】
これら第１，第２の各熱交換器１２Ａ，１２Ｂは、同ハの字部を形成する本体部Ｍと、該本体部Ｍの下端部から、さらに外方側上方にＶの字状に所定の角度θで折り曲げられた補助部Ｓとから構成されている。補助部Ｓは、例えば上記本体部Ｍとは独立に分割され、その伝熱管列数を本体部Ｍの１／２の列数に形成することによって、空気の流入圧損を大きく低減するようにしている。
【００２８】
そして、それら本体部Ｍと補助部Ｓの上記相互に連結された下端側は、上記化粧パネル４上のドレンパン２９Ａ，２９Ｂの副空気吹出口および副空気吸込通路５ａ，５ｂを形成する外方側の仕切壁Ｃ1と主空気吸込口および主空気吸込通路５側仕切壁ａとの間のドレンパン底部（溝部）ｂ上に支持されている。
【００２９】
さらに上記本体部Ｍと補助部Ｓの内、くの字状に折り曲げられた補助部Ｓの上端は、上記副空気吹出口および副空気吸込通路５ａ，５ｂの下流域を経て上記舌部３２ａ，３２ｂおよび副空気吸込通路５ａ，５ｂを形成している縦壁部Ｃ1の空気吸込口側の舌部３２ａ，３２ｂ近傍（直下）に当接固定されており、副空気吸込口および副空気吸込通路５ａ，５ｂを介して吸込んだ空気を低圧損で効率良くファンロータ３０Ａ，３０Ｂに吸込ませることによって、効率良く熱交換させるようになっている。
【００３０】
しかも、その場合において、この実施の形態の場合、上記舌部３２ａ，３２ｂの近傍には上記ファンロータ３０Ｂの回転中心と同心をなす円弧上に位置してファンロータ３０Ｂの羽根３０，３０・・・と逆の角度の第１，第２の案内羽根１３ａ，１３ｂが列設されている。
【００３１】
このような構成によると、ファンロータ３０Ａ，３０Ｂに吸込まれる空気流を、ファンロータ３０Ａ，３０Ｂの空気吸込口側舌部３２ａ，３２ｂ付近でその回転方向と逆方向に予じめ旋回させて吸込風量を増加させることができ、それによって空気吹出通路および空気吹出通路９ａ，９ｂ側へのクロスフローファンの吐出風量を増加させ、その性能向上を図ることが可能となる。
【００３２】
したがって、該構成の場合、例えば冷房又は暖房運転時において、送風手段である第１，第２の各クロスフローファン３０Ａ，３０Ｂが駆動されると、上記本体部Ｍと補助部Ｓよりなる全体としてＷ型の熱交面積の大きな熱交換器１２Ａ，１２Ｂを介して効果的に熱交換された温調空気（冷気又は暖気）が左右両方の空気吹出口９ａ，９ｂから水平方向に吹き出され、それらが自然対流によって次第に下方に降下して行くことによってユーザーに対する快適な冷房又は暖房空調環境が実現される。
【００３３】
以上のように、この実施の形態のものでは、舌部３２ａ，３２ｂとスクロール部３１ａ，３１ｂとの間にファンロータ３０Ａ，３０Ｂを備えてなるクロスフローファンにおいて、上記舌部３２ａ，３２ｂの近傍にのみ、上記ファンロータ３０Ａ，，３０Ｂの回転方向と逆の方向に吸込空気を予旋させる案内羽根１３ａ，１３ｂを設けたことを特徴としている。
【００３４】
このような構成によれば、空力性能に与える影響が大きい舌部３２ｂの近傍では案内羽根１３ａ，１３ｂを設けて吸込空気をスムーズにガイドし、吸込風量の増大に寄与させる一方、空気吸込口側吸込領域全体における案内羽根１３ｃ〜１３ｊの枚数を大幅に減らしてファンロータ３０Ｂの羽根３０，３０・・・との干渉によるＮｚ音を可能な限り低減させることができる。
【００３５】
この場合、案内羽根１３ａ，１３ｂの枚数は、舌部３２ａ，３２ｂ近傍に１枚〜数枚もあれば十分であり、それだけでも有効に吸込風量の増大に寄与させることができる。
【００３６】
この結果、従来の多数枚の案内羽根１３ａ〜１３ｊを有する図６の場合に比べて、例えば図３のグラフに示すように、前述の風量５ｍ3／ｍｉｎ〜３０ｍ3／ｍｉｎの範囲の同一風量の下におけるＮｚ音を含むトータルの騒音量を有効に低減することができる。
【００３７】
特にＮｚ音の低減効果に注目して見ると、例えば図４のグラフのようになり、周波数１００Ｈｚ〜１ＫＨｚ程度の広い範囲において、有効にＮｚ音が低減されることが分る。
【００３８】
＜最良の実施の形態２＞
次に図２は、本願発明の最良の実施の形態２に係るクロスフローファンを用いて構成した天井埋込型空気調和機のクロスフローファン部分の構成を示している。
【００３９】
この実施の形態のものは、上記実施の形態１のものと異なり、クロスフローファンのファンロータ３０Ａ，３０Ｂに対応する舌部３２ａ，３２ｂ部分に、直接ファンロータ３０Ａ，３０Ｂの回転方向と逆の方向に吸込空気を予旋させるスリット１４ａ，１４ｂを設けたことを特徴としている。
【００４０】
このような構成によれば、空力性能を与える影響が大きい舌部３２ａ，３２ｂの近傍では当該舌部３２ａ，３２ｂ自体に上述した案内羽根１３ａ，１３ｂと同様の吸気空気予旋作用を果たすスリット１４ａ，１４ｂを設け、同スリット１４ａ，１４ｂによって吸込風量の増大に寄与させる一方、空気吸込口側吸込領域全体における案内羽根１３ａ〜１３ｊを全く無くしてファンロータ３０Ａ，３０Ｂの羽根３０，３０・・・との干渉によるＮｚ音を可及的に低減させるようにしている。
【００４１】
このような構成によっても、上記実施の形態１のものと同様の作用効果を得ることができる。
【図面の簡単な説明】
【００４２】
【図１】本願発明の最良の実施の形態１に係るクロスフローファンを用いて構成した天井埋込型空気調和機の構成を示す断面図である。
【図２】同天井埋込型空気調和機のクロスフローファン部分の構成を示す拡大断面図である。
【図３】同天井埋込型空気調和機の「風量−騒音特性」を示す図である。
【図４】同天井埋込型空気調和機の「Ｎｚ音低減特性」を示す図である。
【図５】本願発明の最良の実施の形態２に係るクロスフローファンを用いて構成した天井埋込型空気調和機のクロスフローファン部分の構成を示す拡大断面図である。
【図６】従来のクロスフローファン部分の構成を示す拡大断面図である。
【符号の説明】
【００４３】
１は天井埋込型空気調和機、２は本体ケーシング、３は天井、４は化粧パネル、５は主空気吸込口および主空気吸込通路、５ａ，５ｂは副空気吸込口および副空気吸込通路、９ａ，９ｂは空気吹出口および空気吹出通路、１０ａは第１の送風通路、１０ｂは第２の送風通路、１２Ａは第１の熱交換器、１２Ｂは第２の熱交換器、１３ａ，１３ｂは案内羽根、３０Ａは第１のファンロータ、３０Ｂは第２のファンロータ、３１ａ，３１ｂはスクロール部、３２ａ，３２ｂは舌部、Ｍは本体部、Ｓは補助部である。
【図１】
2005337056.tif 000003
【図２】
2005337056.tif 000004
【図３】
2005337056.tif 000005
【図４】
2005337056.tif 000006
【図５】
2005337056.tif 000007
【図６】
2005337056.tif 000008